(57)【特許請求の範囲】
【請求項１】
内部にディスクを回転させるためのターンテーブルが設けられてなる装置本体部と、
前記ディスクが位置決めされて載置される浅い凹状の載置部と、前記載置部の外周に設けられ複数個所の係止穴からなるカバー保持部とが形成されていて、前記載置部に載置されたディスクを前記装置本体部の内外に出し入れするために用いられるディスクトレイと、
前記カバー保持部に、平面視「略弓形」形状であり前記ディスクトレイの載置部に載置されたディスクを部分的に覆い得るディスク支持カバーが脱着可能に取り付けられていることを特徴とするディスク再生装置。
【発明の詳細な説明】
【０００１】
【産業上の利用分野】
本発明は、ＣＤ、ＣＤ−ＲＯＭ、光ディスク、光磁気ディスク等の円盤状のディスクに記録された情報を再生するためのディスク再生装置に係り、特に、ディスクを装置本体部の内外に出し入れするためのディスクトレイが備えられているものに関する。
【０００２】
【従来の技術】
図６、図７は、従来のディスク再生装置の一例としてのＣＤ−ＲＯＭプレーヤ５０を示す。このＣＤ−ＲＯＭプレーヤ５０は、弁当箱状の装置本体部５２の内部にＣＤ−ＲＯＭディスク（以下、単にディスクと称す）Ｄを回転させるためのモーター４２、ターンテーブル４４や光学ヘッド４６等が適宜の態様で設けられるとともに、前記ディスクＤを装置本体部５２の内外に出し入れするためのディスクトレイ６０が備えられている。
【０００３】
ディスクトレイ６０には、ディスクＤが位置決めされて載置される浅い凹状の載置部６２が形成されるとともに、ディスクＤの再生時に前記ターンテーブル４４のセンターハブ４４ａが挿入される開口部６４が形成されていて、装置本体部５２内に設けられた図示しないモーターやラック−ピニオン等の駆動機構により、前記載置部６２を上方に向けた状態で水平方向に引き出され、また、引き込まれるようにされている。
【０００４】
このような構成のＣＤ−ＲＯＭプレーヤ５０は、外置きタイプ（図６のもの）と内蔵タイプとがあり、内蔵タイプのＣＤ−ＲＯＭプレーヤ５０’は、例えば図８に示される如くに、パソコン５５の筐体内にＦＤＤ７０等と共に、前記載置部６２を上方に向けた状態で水平に設置されるようになっている。
【０００５】
【発明が解決しようとする課題】
ところで、上記した如くの、ＣＤ−ＲＯＭプレーヤ５０’を内蔵したパソコン５５は、通常、机の上に図８のように横に寝かした状態（横置き）で配され、その上にディスプレイが載せられて用いられる。ところが、このようにパソコン５５を横に寝かした状態にし、その上にディスプレイを載せて用いる場合には、
（１）  机上にパソコンのための大きな設置面積が必要となる、
（２）  ディスプレイの高さ位置が高くなり過ぎる等の問題が生じることがあり、使用環境によっては、パソコン５５を立てて（縦置きにして）その隣にディスプレイを置くようになすことが望まれる場合がある。
【０００６】
しかしながら、ＣＤ−ＲＯＭプレーヤ５０’を内蔵したパソコン５５を縦置きにすると、ＣＤ−ＲＯＭプレーヤ５０’も縦置きの状態（横置きの状態から９０°回転せしめられた状態）にされ、ディスクトレイ６０の載置部６２が側方に向いてしまうので、ディスクＤをディスクトレイ６０に載せることができず、従って、ディスクＤを装置本体部５２に対して出し入れすることができない。
【０００７】
かかる点に鑑み本発明は、縦置きにされてもディスクの出し入れに支障を来さないようにされたディスク再生装置を提供することを目的とする。
【０００８】
【課題を解決するための手段】
上述の目的を達成すべく、本発明に係るディスク再生装置は、内部にディスクを回転させるためのターンテーブルが設けられてなる装置本体部と、前記ディスクが位置決めされて載置される浅い凹状の載置部と、前記載置部の外周に設けられ複数個所の係止穴からなるカバー保持部とが形成されていて、前記載置部に載置されたディスクを前記装置本体部の内外に出し入れするために用いられるディスクトレイと、前記カバー保持部に、平面視「略弓形」形状であり前記ディスクトレイの載置部に載置されたディスクを部分的に覆い得るディスク支持カバーが脱着可能に取り付けられていることを特徴としている。
【００１０】
【作用】
上述の如くの構成とされた本発明に係るディスク再生装置おいては、それが縦置きの状態で用いられる場合には、ディスクトレイに設けられたカバー保持部に、ディスク支持カバーを取り付ける。
【００１１】
そして、ディスクを載置部とディスク支持カバーとの間に差し込むようにして載置部に対接させる。この状態では、載置部が側方に向いて（横向き）いるが、ディスクはその外周縁が凹状の載置部で支承され、かつその外側面の一部がディスク支持カバーにより支えられて、その傾倒、脱落が防止されていることになる。
【００１２】
このように、ディスクトレイにディスク支持カバーを取り付けることにより、ディスクの傾倒、脱落が防止されるので、当該ディスク再生装置の設置自由度が向上するとともに、それが組み込まれたパソコン等を縦置きで使用することができ、机上の有効利用等を図ることができる。
【００１３】
【実施例】
以下、本発明の実施例を図面を参照しつつ説明する。                      図１、図２は本発明に係るディスク再生装置の一例としてのＣＤ−ＲＯＭプレーヤ１０をそれが組み込まれたパソコン１００（前述したものと同）と共に示している。
【００１４】
図示例のこのＣＤ−ＲＯＭプレーヤ１０は、前述した従来のものと同様に、弁当箱状の装置本体部１２の内部にＣＤ−ＲＯＭディスク（以下、単にディスクと称す）Ｄを回転させるためのモーター、ターンテーブルや光学ヘッド等が適宜の態様で設けられるとともに、前記ディスクＤを装置本体部１２の内外に出し入れするためのディスクトレイ２０が備えられている。
【００１５】
ディスクトレイ２０には、ディスクＤが位置決めされて載置される浅い凹状の載置部２２が形成されるとともに、ディスクＤの再生時に前記ターンテーブルのセンターハブが挿入される開口部２４が形成されていて、装置本体部１２内に設けられた図示しないモーターやラック−ピニオン等の駆動機構により、水平方向に引き出され、また、引き込まれるようにされている。
【００１６】
そして、本実施例においては、図５に詳細に示される如くに、前記ディスクトレイ２０における載置部２２の外周に合計５か所、カバー保持部としての矩形の係止穴２５，２６，２７，２８，２９が形成されていて、この係止穴２５〜２９に、ディスクトレイ２０の載置部２２に載置されたディスクＤを部分的に覆い得る平面視「略弓形」形状のディスク支持カバー３０が脱着可能に取り付けられるようにされている。
【００１７】
すなわち、ディスク支持カバー３０には、図４に示される如くに、上記ディスクトレイ２０に形成されている係止穴２５〜２９に対応して引っ掛け突起３６を有する取着足部３１，３２，３３，３４，３５が下方に向けて突設されていて、それらの取着足部３１〜３５を係止穴２５〜２９に差し込むことによりディスク支持カバー３０がディスクトレイ２０に脱着可能に取り付けられるようになっている。なお、ディスク支持カバー３０はディスク再生時の邪魔にならないようにディスクトレイ２０の開口部２４（ここにターンテーブルのセンタハブが挿入される）にはかからない大きさ形状に選定されている。
【００１８】
上述の如くの構成のもとで、パソコン１００を縦置きにして、言い換えればＣＤ−ＲＯＭプレーヤ１０が縦置きの状態で用いる場合には、ディスクトレイ２０に設けられた係止穴２５〜２９にディスク支持カバー３０の取着足部３１〜３５を係止穴２５〜２９に差し込んでディスク支持カバー３０をディスクトレイ２０に取り付ける（図２参照）。
【００１９】
そして、ディスクＤを載置部２２とディスク支持カバー３０との間に差し込むようにして凹状の載置部２２に対接させる。この状態では、載置部２２が側方に向いているが、ディスクＤはその外周縁が載置部２２の外縁で支承され、かつその外側面の一部がディスク支持カバー３０により支えられて、その傾倒、脱落が防止されていることになる。
【００２０】
このように、ディスクトレイ２０にディスク支持カバー３０を取り付けることにより、ディスクＤの傾倒、脱落が防止されるので、当該ＣＤ−ＲＯＭプレーヤ１０の設置自由度が向上するとともに、それが組み込まれたパソコン１００等を縦置きで使用することができ、机上の有効利用等を図ることができる。
【００２１】
なお、パソコン１００を横置きで、言い換えれば、ＣＤ−ＲＯＭプレーヤ１０を横置きで使用する場合には、図３に示される如くに、ディスクトレイ２０からディスク支持カバー３０を取り外しておく方が、ディスクＤの載せ置き、取り出し等を行い易い。
【００２３】
【発明の効果】
以上の説明から理解されるように、本発明に係るディスク再生装置は、ディスクトレイにディスク支持カバーを脱着可能に取り付けるようにしたので、それを縦置きにしてもディスクの傾倒、脱落を防止でき、当該ディスク再生装置の設置自由度が向上するとともに、それが組み込まれたパソコン等を縦置きで使用することができ、机上の有効利用等を図ることができる等、極めて実用的な優れた効果が得られる。
【図面の簡単な説明】
【図１】本発明に係るディスク再生装置の一実施例をパソコンに組み込んだ状態で示す分解斜視図。
【図２】図１のディスク再生装置の縦置き使用時の状態を示す斜視図。
【図３】図１のディスク再生装置の横置き使用時の状態を示す斜視図。
【図４】図１の実施例のディスク支持カバーを示し、（Ａ）は正面図、（Ｂ）は平面図、及び（Ｃ）は要部の拡大断面図。
【図５】図１の実施例のディスクトレイを示す図。
【図６】従来のディスク再生装置の一例を示す部分斜視図。
【図７】図６のディスク再生装置の内部構造を示す図。
【図８】図６のディスク再生装置をパソコンに組み込んだ状態を示す図。
【符号の説明】
１０        ＣＤ−ＲＯＭプレーヤ
１２        装置本体部
２０        ディスクトレイ
２２        載置部
２４        開口部
２５〜２９    係止穴
３０          ディスク支持カバー
３１〜３５    取着足部
Ｄ          ディスク
【図１】
0003552277.tif 000002
【図２】
0003552277.tif 000003
【図３】
0003552277.tif 000004
【図４】
0003552277.tif 000005
【図５】
0003552277.tif 000006
【図６】
0003552277.tif 000007
【図７】
0003552277.tif 000008
【図８】
0003552277.tif 000009